(57)【要約】【課題】従来では実現困難な種々の特性を容易に実現することができる電気光学装置、電子機器、及び電気光学装置の制御方法等を提供する。【解決手段】分散媒の中を泳動する電気泳動粒子を画像表示に用いる電気光学装置であって、第１の電極と、第２の電極と、第１の色に着色され、第１の極性に帯電された第１の電気泳動粒子と、第２の色に着色され、前記第１の極性に帯電された第２の電気泳動粒子と、を含み、前記第１の電気泳動粒子の帯電量と前記第２の電気泳動粒子の帯電量とは異なる帯電量であり、所定の時間における前記第１の電気泳動粒子による光応答量の変化量と、前記所定の時間における前記第２の電気泳動粒子による光応答量の変化量とから、前記第１の色と前記第２の色との混色を制御することを特徴とする。【選択図】図４
2014182324.tif 000002
【特許請求の範囲】
【請求項１】
分散媒の中を泳動する電気泳動粒子を画像表示に用いる電気光学装置であって、
第１の電極と、
第２の電極と、
第１の色に着色され、第１の極性に帯電された第１の電気泳動粒子と、
第２の色に着色され、前記第１の極性に帯電された第２の電気泳動粒子と、を含み、
前記第１の電気泳動粒子の帯電量と前記第２の電気泳動粒子の帯電量とは異なる帯電量であり、
前記第１の電極と前記第２の電極との間に所定の電圧を所定の時間印加した際に、前記所定の時間における前記第１の電気泳動粒子による光応答量の変化量と、前記所定の時間における前記第２の電気泳動粒子による光応答量の変化量とから、前記第１の色と前記第２の色との混色を制御することを特徴とする電気光学装置。
【請求項２】
更に、第３の色に着色され、前記第１の極性に帯電された第３の電気泳動粒子を含み、
前記第３の電気泳動粒子の帯電量は、前記第１の電気泳動粒子の帯電量及び前記第２の電気泳動粒子の帯電量とは異なる帯電量であり、
前記所定の時間における前記第１の電気泳動粒子による光応答量の変化量と、前記所定の時間における前記第２の電気泳動粒子による光応答量の変化量と、前記所定の時間における前記第３の電気泳動粒子による光応答量の変化量とから、前記第１の色、前記第２の色及び前記第３の色との混色を制御することを特徴とする請求項１に記載の電気光学装置。
【請求項３】
前記分散媒が第４の色に着色されていることを特徴とする請求項１又は２に記載の電気光学装置。
【請求項４】
前記第１の色はシアンであり、前記第２の色はマゼンダであり、前記第３の色はイエローであり、前記分散媒は白色に着色されていることを特徴とする請求項３に記載の電気光学装置。
【請求項５】
電気光学装置を有する電子機器であって、
前記請求項１乃至４のいずれか１項に記載の電気光学装置を有する電子機器。
【請求項６】
第１の色に着色され、第１の極性に帯電された第１の電気泳動粒子と、
第２の色に着色され、前記第１の電気泳動粒子と異なる帯電量で前記第１の極性に帯電された第２の電気泳動粒子と、を用い、
所定の時間における前記第１の電気泳動粒子による光応答量の変化量と、前記所定の時間における前記第２の電気泳動粒子による光応答量の変化量とから、前記第１の色と前記第２の色との混色を制御することを特徴とする電気光学装置の制御方法。
【請求項７】
更に、第３の色に着色され、前記第１の電気泳動粒子及び前記第２の電気泳動粒子と異なる帯電量で前記第１の極性に帯電された第３の電気泳動粒子とを用い、
前記所定の時間における前記第１の電気泳動粒子による光応答量の変化量と、前記所定の時間における前記第２の電気泳動粒子による光応答量の変化量と、前記所定の時間における前記第３の電気泳動粒子による光応答量の変化量とから、前記第１の色、前記第２の色及び前記第３の色との混色を制御することを特徴とする請求項６に記載の電気光学装置の制御方法。
【発明の詳細な説明】
【技術分野】
【０００１】
本発明は、電気光学装置、これを用いた電子機器、及び電気光学装置の制御方法等に関する。
【背景技術】
【０００２】
従来、この種の電気光学装置の一例として、電気泳動表示装置が知られている。電気泳動表示装置は、着色された電気泳動粒子を含む電気泳動素子を画素電極及び対向電極の間に挟み込んだ構成を有し、両電極間に電圧を印加して電気泳動粒子を泳動させることで画像を表示する。このとき、電気泳動表示装置において、例えば互いに異なる色に着色された電気泳動粒子を色毎に独立に制御して泳動させると、表示される画像の色の変更が可能となる。電気泳動素子は、例えば各々が複数の電気泳動粒子を含むマイクロカプセルにより構成され、画素電極及び対向電極間に封入される。
【０００３】
このような電気泳動表示装置に関する技術について、例えば特許文献１〜特許文献３、非特許文献１、及び非特許文献２に開示されている。
【０００４】
特許文献１には、マイクロカプセル内の黒色着色分散媒中に分散される電気泳動粒子が、色毎に互いに異なる電気泳動移動度を有し、印加電圧値又は印加電圧の印加時間の違いにより、異なる色彩の表示を行う表示装置が開示されている。
【０００５】
特許文献２には、赤色、緑色、青色、及び白色のカラーフィルターを使用することによりカラーの画像表示を行う電気泳動表示装置が開示されている。
【０００６】
特許文献３には、流体内に各々が互いに異なる電気泳動移動度を有する複数の電気泳動粒子を含み、各電気泳動粒子による光学特性に従って画像を表示する電気泳動表示装置が開示されている。
【０００７】
非特許文献１には、色毎にエレクトロクロミック層を積層した構成によりカラーの画像を表示する電気泳動表示装置が開示されている。
【０００８】
非特許文献２には、互いに異なる閾値を有する着色電気泳動粒子を独立して制御することによりカラーの画像を表示する電気泳動表示装置が開示されている。
【先行技術文献】
【特許文献】
【０００９】
【特許文献１】特開２０００−１９４０２１号公報
【特許文献２】米国特許出願公報第２０１１／０３１０４６１号明細書
【特許文献３】米国特許出願公報第２００６／０２０２９４９号明細書
【非特許文献】
【００１０】
【非特許文献１】T.Yashiro， “Novel Design for Color Electrophoretic Display”， SID2011 5.3
【非特許文献２】N.Hiji，“Novel Color Electrophoretic E-Paper Using Independently Movable Colored Particles”， SID2012 8.4
【発明の概要】
【発明が解決しようとする課題】
【００１１】
特許文献１〜３及び非特許文献１〜２から分かるように、電気泳動粒子の特性や電気泳動粒子を分散させる液体の特性は電気泳動表示装置の制御をどのようにするかを決定することにおいて重要な要素である。電気泳動表示装置においては、高コントラスト化と動作温度範囲の拡大や、表示状態の保持時間の長時間化と表示状態の更新時間の短縮など、更なる性能の向上を目指すことは重要である。
【課題を解決するための手段】
【００１２】
本発明は、以上のような技術的課題に鑑みてなされたものである。本発明の幾つかの態様によれば、従来では実現困難な種々の特性を容易に実現することができる電気光学装置、及び電子機器等を提供することができる。
【００１３】
［適用例１］
本適用例にかかる電気光学装置は、分散媒の中を泳動する電気泳動粒子を画像表示に用いる電気光学装置であって、第１の電極と、第２の電極と、第１の色に着色され、第１の極性に帯電された第１の電気泳動粒子と、第２の色に着色され、前記第１の極性に帯電された第２の電気泳動粒子と、を含み、前記第１の電気泳動粒子の帯電量と前記第２の電気泳動粒子の帯電量とは異なる帯電量であり、前記第１の電極と前記第２の電極との間に所定の電圧を所定の時間印加した際に、前記所定の時間における前記第１の電気泳動粒子による光応答量の変化量と、前記所定の時間における前記第２の電気泳動粒子による光応答量の変化量とから、前記第１の色と前記第２の色との混色を制御することを特徴とする。
【００１４】
この構成によれば、分散媒の中を泳動する電気泳動粒子を画像表示に用いる電気光学装置において、第１の電極と、第２の電極と、第１の色に着色され、第１の極性に帯電された第１の電気泳動粒子と、第２の色に着色され、第１の極性に帯電された第２の電気泳動粒子と、を含み、第１の電気泳動粒子の帯電量と第２の電気泳動粒子の帯電量とは異なる帯電量であり、所定の時間における第１の電気泳動粒子による光応答量の変化量と、所定の時間における第２の電気泳動粒子による光応答量の変化量とから、第１の色と第２の色との混色を制御することで、電気光学装置における第１の色と第２の色との混色の表示を容易に行うことができる。
【００１５】
［適用例２］
上記適用例にかかる電気光学装置において、更に、第３の色に着色され、前記第１の極性に帯電された第３の電気泳動粒子を含み、前記第３の電気泳動粒子の帯電量は、前記第１の電気泳動粒子の帯電量及び前記第２の電気泳動粒子の帯電量とは異なる帯電量であり、前記所定の時間における前記第１の電気泳動粒子による光応答量の変化量と、前記所定の時間における前記第２の電気泳動粒子による光応答量の変化量と、前記所定の時間における前記第３の電気泳動粒子による光応答量の変化量とから、前記第１の色、前記第２の色及び前記第３の色との混色を制御することが好ましい。
【００１６】
この構成によれば、更に、第３の色に着色され、第１の極性に帯電された第３の電気泳動粒子を含み、第３の電気泳動粒子の帯電量は、第１の電気泳動粒子の帯電量及び第２の電気泳動粒子の帯電量とは異なる帯電量であり、所定の時間における第１の電気泳動粒子による光応答量の変化量と、所定の時間における第２の電気泳動粒子による光応答量の変化量と、所定の時間における第３の電気泳動粒子による光応答量の変化量とから、第１の色、第２の色及び第３の色との混色を制御することで、電気光学装置における第１の色、第２の色及び第３の色による混色の表示を容易に行うことができる。
【００１７】
［適用例３］
上記適用例にかかる電気光学装置において、前記分散媒が第４の色に着色されていることが好ましい。
【００１８】
この構成によれば、更に、分散媒が第４の色に着色されていることで、電気光学装置における第１の色、第２の色、第３の色及び第４の色による混色の表示を容易に行うことができる。
【００１９】
［適用例４］
上記適用例にかかる電気光学装置において、前記第１の色はシアンであり、前記第２の色はマゼンダであり、前記第３の色はイエローであり、前記分散媒は白色に着色されていることが好ましい。
【００２０】
この構成によれば、第１の色はシアンであり、第２の色はマゼンダであり、第３の色はイエローであり、分散媒は白色に着色されていることにより、電気光学装置においてシアン、マゼンダ及びイエローの３原色によるカラーの表示を行うことができる。
【００２１】
［適用例５］
本発明にかかる電子機器は、上記の電気光学装置を有することが好ましい。
【００２２】
この構成によれば、電子機器が上記の電子光学装置を有することで、画像表示における複数の色の混色の制御を容易とする電子機器を構成することができる。
【００２３】
［適用例６］
本適用例にかかる電気光学装置の制御方法は、第１の色に着色され、第１の極性に帯電された第１の電気泳動粒子と、第２の色に着色され、前記第１の電気泳動粒子と異なる帯電量で前記第１の極性に帯電された第２の電気泳動粒子と、を用い、所定の時間における前記第１の電気泳動粒子による光応答量の変化量と、前記所定の時間における前記第２の電気泳動粒子による光応答量の変化量とから、前記第１の色と前記第２の色との混色を制御することを特徴とする。
【００２４】
この方法によれば、第１の色に着色され、第１の極性に帯電された第１の電気泳動粒子と、第２の色に着色され、第１の電気泳動粒子と異なる帯電量で第１の極性に帯電された第２の電気泳動粒子と、を用い、所定の時間における第１の電気泳動粒子による光応答量の変化量と、当該所定の時間における第２の電気泳動粒子による光応答量の変化量とから第１の色と第２の色との混色を制御することで、電気光学装置における第１の色と第２の色との混色の表示を容易に行うことができる。
【００２５】
［適用例７］
上記適用例にかかる電気光学装置の制御方法において、更に、第３の色に着色され、前記第１の電気泳動粒子及び前記第２の電気泳動粒子と異なる帯電量で前記第１の極性に帯電された第３の電気泳動粒子とを用い、前記所定の時間における前記第１の電気泳動粒子による光応答量の変化量と、前記所定の時間における前記第２の電気泳動粒子による光応答量の変化量と、前記所定の時間における前記第３の電気泳動粒子による光応答量の変化量とから、前記第１の色、前記第２の色及び前記第３の色との混色を制御することが好ましい。
【００２６】
この方法によれば、更に、第３の色に着色され、第１の電気泳動粒子及び第２の電気泳動粒子と異なる帯電量で第１の極性に帯電された第３の電気泳動粒子とを用い、所定の時間における第１の電気泳動粒子による光応答量の変化量と、当該所定の時間における第２の電気泳動粒子による光応答量の変化量と、当該所定の時間における第３の電気泳動粒子による光応答量の変化量とから、第１の色、第２の色及び第３の色との混色を制御することで、電気光学装置における第１の色、第２の色及び第３の色との混色の表示を容易に行うことができる。
【図面の簡単な説明】
【００２７】
【図１】電気光学装置としての電気泳動表示装置の構成例のブロック図。
【図２】表示領域における等価回路の一例を示す図。
【図３】電気泳動表示装置の動作原理の説明図。
【図４】実施例１におけるマイクロカプセルの構成の概要を模式的に示す図。
【図５】実施例１における電気泳動粒子の電気泳動移動度の説明図。
【図６】電気泳動粒子の移動距離と時間との関係を示すイメージ図。
【図７】実施例２におけるマイクロカプセルの構成の概要を模式的に示す図。
【図８】実施例２における電気泳動粒子の電気泳動移動度の説明図。
【図９】電気光学装置を用いた電子機器の概略ブロック図。
【発明を実施するための形態】
【００２８】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。説明に用いる図面は、実施形態の説明の便宜上のものである。
【００２９】
また、以下の実施形態では、本発明にかかる電気光学装置の一例として、アクティブマトリクス駆動方式の電気泳動表示装置について説明するが、本発明にかかる電気光学装置は、アクティブマトリクス駆動方式の電気泳動表示装置に限定されるものではない。
【００３０】
（第１実施形態）
図１に、本実施形態にかかる電気光学装置としての電気泳動表示装置１０の概略ブロック図を示す。
【００３１】
電気泳動表示装置１０は、各画素にメモリー性を有する表示素子を備え、表示状態の更新を行わない状態において従前の表示状態を保持する性質を有する。
【００３２】
電気泳動表示装置１０は、表示領域１２と、コントローラー２０と、走査線駆動回路３０と、データ線駆動回路４０と、共通電極駆動回路５０とを備えている。
【００３３】
表示領域１２は、ｍ（ｍは２以上の整数）行×ｎ（ｎは２以上の整数）列にマトリクス状に配列された複数の画素Ｐ１１〜Ｐｎ１，Ｐ１２〜Ｐｎ２，・・・，Ｐ１ｍ〜Ｐｎｍを有する。複数の画素Ｐ１１〜Ｐｎ１，Ｐ１２〜Ｐｎ２，・・・，Ｐ１ｍ〜Ｐｎｍの各々は、同一の構成を有する。この表示領域１２には、走査線Ｙ１〜Ｙｍと、データ線Ｘ１〜Ｘｎとが互いに交差するように配置されている。具体的には、表示領域１２には、Ｘ方向に延伸しＹ方向に並ぶｍ本の走査線Ｙ１〜Ｙｍが設けられ、Ｙ方向に延伸しＸ方向に並ぶｎ本のデータ線Ｘ１〜Ｘｎが設けられる。各画素は、各走査線と各データ線との交差に対応して配置される。各画素は、画素電極や対向電極などを有し、その構造は後述する。
【００３４】
コントローラー２０は、走査線駆動回路３０、データ線駆動回路４０、及び共通電極駆動回路５０の動作を制御する部分である。コントローラー２０は、所望の表示状態を実現するために、走査線駆動回路３０、データ線駆動回路４０、及び共通電極駆動回路５０に対して、クロック信号、スタートパルス信号等のタイミング信号を供給する。
【００３５】
走査線駆動回路３０は、コントローラー２０からの制御によって、所定のフレーム期間内に、走査線Ｙ１，Ｙ２，・・・，Ｙｍの各々にパルス状の信号である走査信号を順次供給する。
【００３６】
データ線駆動回路４０は、コントローラー２０からの制御によって、データ線Ｘ１，Ｘ２，・・・，Ｘｎの各々にデータ電圧を供給する。データ電圧は、例えば、基準電圧「ＧＮＤ」（例えば０ボルト）、高電位側電圧「ＶＳＨ」（例えば＋１５ボルト）、及び低電位側電圧「−ＶＳＨ」（例えば−１５ボルト）のいずれかである。
【００３７】
共通電極駆動回路５０は、各画素の対向電極に電気的に接続される共通電極線５２に、共通電圧Ｖｃｏｍ（例えば基準電圧「ＧＮＤ」と同電位の電圧）を供給する。共通電圧Ｖｃｏｍは、対向電極と基準電圧「ＧＮＤ」が供給されたときの画素電極との間の電圧が実質的に同じとなる範囲であれば、基準電圧「ＧＮＤ」とは異なる電圧であってもよい。例えば、共通電圧Ｖｃｏｍは、他の信号線や電極等との交流結合による画素電極の電位変動を考慮して、画素電極に供給される基準電圧「ＧＮＤ」とは異なる値であってもよい。
【００３８】
図２に、表示領域１２における電気的な構成の等価回路の一例を示す。図２において、図１と同様の部分には同一符号を付し、適宜説明を省略する。図１の画素Ｐ１１〜Ｐｎ１，Ｐ１２〜Ｐｎ２，・・・，Ｐ１ｍ〜Ｐｎｍを構成する各画素は同様の構成を有するため、以下では画素Ｐ１１について説明する。
【００３９】
画素Ｐ１１は、スイッチングトランジスター６０と、画素電極６２と、対向電極６４と、電気泳動素子（電気光学素子）６６と、保持容量６８とを備えている。
【００４０】
スイッチングトランジスター６０は、例えばＮ型の金属酸化膜半導体（Metal Oxide Semiconductor：ＭＯＳ）トランジスターにより構成される。このスイッチングトランジスター６０において、ゲートは走査線Ｙ１に電気的に接続され、ソースはデータ線Ｘ１に電気的に接続され、ドレインは画素電極６２及び保持容量６８の一端に電気的に接続される。このようなスイッチングトランジスター６０は、走査線Ｙ１を介して供給される走査信号に対応したタイミングで、データ線Ｘ１を介して供給されるデータ電圧を画素電極６２及び保持容量６８の一端に出力する。
【００４１】
画素電極６２は、第１の電極として、電気泳動素子６６を介して対向電極６４と互いに対向するように配置される。画素電極６２には、データ線Ｘ１及びスイッチングトランジスター６０を介してデータ電圧が供給される。
【００４２】
対向電極６４は、第２の電極として、共通電圧Ｖｃｏｍが供給される共通電極線５２に電気的に接続される。画素Ｐ１１〜Ｐｎ１，Ｐ１２〜Ｐｎ２，・・・，Ｐ１ｍ〜Ｐｎｍを構成する各画素が有する対向電極６４は、同電位となる。対向電極６４は、例えばマグネシウム銀（ＭｇＡｇ）、インジウム・スズ酸化膜（ＩＴＯ）、インジウム・亜鉛酸化物（ＩＺＯ）等の透明導電材料から形成され、対向電極６４側に画像が表示される。
【００４３】
電気泳動素子６６は、画素電極６２と対向電極６４との間に設けられ、電気泳動層を形成する。電気泳動素子６６は、帯電され、且つ、着色された複数の電気泳動粒子を各々が含んで構成される複数のマイクロカプセル（広義にはセル）により構成される。即ち、電気泳動表示装置１０は、マイクロカプセル型の電気泳動表示装置である。
【００４４】
保持容量６８は、誘電体膜を介して対向配置された一対の電極を備えた構成を有する。一方の電極は、スイッチングトランジスター６０のドレイン及び画素電極６２に電気的に接続され、他方の電極は、共通電極線５２に電気的に接続される。このような保持容量６８は、画素電極６２に供給されるデータ電圧を所定期間だけ保持することができる。
【００４５】
次に、帯電された電荷の極性が異なる２種類の電気泳動粒子を想定して、電気泳動素子６６の動作の例を簡単に説明する。
【００４６】
図３（Ａ）、図３（Ｂ）に、電気泳動素子６６の動作説明図を示す。図３（Ａ）及び図３（Ｂ）は、画素を構成する対向電極６４、画素電極６２及び電気泳動素子６６の部分断面図を模式的に表したものであり、図３（Ａ）は、対向電極６４が画素電極６２より高電位に設定された状態、図３（Ｂ）は、対向電極６４が画素電極６２より低電位に設定された状態を表している。なお、図３（Ａ）、図３（Ｂ）において、図２と同様の部分には同一符号を付し、適宜説明を省略する。
【００４７】
電気泳動素子６６を構成する各マイクロカプセル７０は、例えば粘性を有する分散媒７２と、例えば正に帯電され黒色に着色された電気泳動粒子７４と、例えば負に帯電され白色に着色された電気泳動粒子７６とを有する。電気泳動粒子７４，７６は、画素電極６２及び対向電極６４の間に挟持され、両電極間の電圧に応じて分散媒７２内で泳動する。
【００４８】
対向電極６４が画素電極６２より高電位となるように設定されたとき、図３（Ａ）に示すように、正に帯電された黒色の電気泳動粒子７４が画素電極６２に引き寄せられ、負に帯電された白色の電気泳動粒子７６が対向電極６４に引き寄せられる。このとき、対向電極６４側から見ると、白色が認識される。
【００４９】
これに対して、対向電極６４が画素電極６２より低電位となるように設定されたとき、図３（Ｂ）に示すように、正に帯電された黒色の電気泳動粒子７４が対向電極６４に引き寄せられ、負に帯電された白色の電気泳動粒子７６が画素電極６２に引き寄せられる。このとき、対向電極６４側から見ると、黒色が認識される。
【００５０】
また、対向電極６４が画素電極６２と実質的に同電位となるように設定されたとき、マイクロカプセル７０内の電気泳動粒子７４，７６は電気泳動せず、従前の表示状態を保持することになる。
【実施例１】
【００５１】
本実施例は、第１の色に着色され正の帯電量Ｑ１に帯電された第１の電気泳動粒子７６１と、第２の色に着色され正の帯電量Ｑ２に帯電された第２の電気泳動粒子７４１とを用いた例である。第１の色、第２の色は特に限定はしないが、電気泳動表示装置１０の表示面から見た画像は、第１の色、第２の色、及び、第１の色と第２の色との混色により表現される画像である。本実施例においては、第１の色を青色、第２の色を黒色とする。よって、本実施例の場合は、青色、黒色、及び青色と黒色との混色で表される階調により画像の表現が行われる。第１の電気泳動粒子７６１の帯電量と第２の電気泳動粒子７４１の帯電量との関係は、Ｑ１＞Ｑ２の関係にある。なお、分散媒７２は白色に着色されているものとする。
【００５２】
図４に、本実施例におけるマイクロカプセル１７０の構成を模式的に示す。マイクロカプセル１７０は、白色の分散媒７２の中に、第１の電気泳動粒子７６１及び第２の電気泳動粒子７４１を備えている。
【００５３】
ここで、電気泳動粒子の帯電量（電荷量）と電気泳動粒子の単位時間当たりの移動速度である電気泳動移動度（広義には移動度）との関係を示す。マイクロカプセル１７０内の分散媒７２の粘度をη、電気泳動粒子の粒径をｄｐ、電気泳動粒子が帯電する電荷量をｑ、電気泳動素子６６に印加される電界をＥとすると、移動度μは、次式のように表すことができる。
【数１】
2014182324.tif 000003
【００５４】
Ｑ１＞Ｑ２であるから、移動度μは第１の電気泳動粒子７６１の方が第２の電気泳動粒子７４１よりも大きい。第１の電気泳動粒子７６１の移動度μ１及び第２の電気泳動粒子７４１の移動度μ２を、図５に、模式的に示す。図５において、横軸に任意単位の電気泳動粒子の電荷量を、縦軸に任意単位の電気泳動粒子の電気泳動移動度を示している。
【００５５】
式（１）から分かるように、電気泳動粒子の電荷量ｑを異ならせることにより、電気泳動粒子の移動度μを異ならせることができる。具体的には、電気泳動粒子は、式（１）に示すように、その電荷量が多いほど、その移動度を大きくすることできる。Ｑ１＞Ｑ２であるので、第１の電気泳動粒子７６１の電気泳動移動度μ１は、第２の電気泳動粒子７４１の電気泳動移動度μ２より大きくなる。
【００５６】
即ち、第１の電気泳動粒子７６１及び第２の電気泳動粒子７４１に対して、共に泳動可能な同一強度の電界を印加した場合、所定の時間における泳動距離は第１の電気泳動粒子７６１の方が第２の電気泳動粒子７４１よりも長くなる。
【００５７】
その結果、同一色の電気泳動粒子の電気泳動移動度の差を利用することで、単一の電気泳動移動度の電気泳動粒子により実現される光学特性と異なる光学特性を実現することができるようになる。
【００５８】
図６に、第１の電気泳動粒子７６１及び第２の電気泳動粒子７４１が共にマイクロカプセル７０の画素電極６２側にある状態から対向電極６４側に泳動するときの泳動距離Ｓと時間との関係のイメージをグラフとして示す。図６において、縦軸は泳動距離を、横軸は時間の経過を示し、第１の電気泳動粒子７６１の泳動距離をＳ１で、第２の電気泳動粒子７４１の泳動距離をＳ２として示す。電気泳動表示装置１０の表示面には、第１の電気泳動粒子７６１の位置で定まる光応答量、第２の電気泳動粒子７４１の位置で定まる光応答量、及び、第１の電気泳動粒子７６１の位置及び第２の電気泳動粒子７４１の位置で定まる分散媒７２の光応答量による混色が表示されることになる。
【００５９】
時刻ｔ０においては、第１の電気泳動粒子７６１及び第２の電気泳動粒子７４１は共に画素電極６２側にあり、電気泳動表示装置１０の表示面には分散媒７２の光応答率に対応したが白色が表示されている。
【００６０】
時刻ｔ１において、画素電極６２に第１の電気泳動粒子７６１及び第２の電気泳動粒子７４１が泳動するのに十分な電界（＋ＥＶ）を発生させることができるプラスの電圧を印加する。対向電極６４の電位はＧＮＤレベルである。これにより、第１の電気泳動粒子７６１及び第２の電気泳動粒子７４１は共に対向電極６４に向けて泳動する。その後、画素電極６２と対向電極６４との間に電界が存在し続ける間は泳動を続け、時刻ｔ２において第１の電気泳動粒子７６１は対向電極６４側に至り、時刻ｔ３には第２の電気泳動粒子７４１が対向電極６４側に至る。
【００６１】
従って、時刻ｔ１から時刻ｔ３に至るまでの間、電気泳動表示装置１０の表示面には、第１の電気泳動粒子７６１の光応答量、第２の電気泳動粒子７４１の応答量、及び、分散媒７２の応答量による混色の状態は変化し続けることになる。このため、時刻ｔ３から時刻ｔ１の時間間隔Ｔ１以内の任意の所定の時間の間だけ＋ＥＶの電界を印加することで異なる色の画像を表示することが可能となる。表示する画像データと混色の状態との対応は、予め電荷を印加する時間との対応を定めたルックアップテーブルを用意しておくことにより制御することが可能である。
【００６２】
なお、本実施例の上記において第１の色を青色とし第２の色を黒色としたが、第１の色を黒色とし第２の色を青色とすると、上記の場合とは異なった混色の状態が現れる。また、上記は画素電極６２側から対向電極６４側に泳動させる場合の説明であったが、最初に第１の電気泳動粒子７６１及び第２の電気泳動粒子７４１が対向電極６４側に移動させておいて、電界＋ＥＶと同じ強度の逆向きの電界（−ＥＶ）を印加することで画素電極側に泳動させることができ、この場合も上記の混色の状態とは異なった混色の状態が現れる。よって、電気泳動粒子の泳動の向きと泳動させる時間を制御することにより、電気泳動表示装置１０の使用環境や表示内容などの目的に応じた画像の表示が可能となる。また、分散媒７２を白色とは異なる色にすることでも別な混色の状態を得ることができる。
【実施例２】
【００６３】
本実施例は、実施例１に更に、第３の色に着色され、電荷Ｑ１及び電荷Ｑ２と同一の極性で異なる電荷Ｑ３に帯電された第３の電気泳動粒子７６２を追加した例である。本実施例におけるマイクロカプセル２７０を図７に示す。ここで、第３の電気泳動粒子７６２も＋ＥＶ及び−ＥＶの電界を印加することで泳動が可能であるとする。
【００６４】
仮に、Ｑ２＜Ｑ３＜Ｑ１であるとし、図８に、本実施例における３種の電気泳動粒子の泳動距離と時間との関係のイメージをグラフとして示す。第３の電気泳動粒子７６２の泳動距離をＳ３で示している。時刻ｔ４から時刻ｔ５に至る時間間隔Ｔ２以内の任意の時間電界を印加することで、第１の色、第２の色、第３の色及び分散媒７２の色による異なる混色の状態を表すことができる。第１の色を青色、第２の色を黒色、第３の色を赤色とすると、３種の電気泳動粒子の移動度で定まる位置による青色、黒色、赤色及び白色による混色の状態を得ることができる。
【００６５】
なお、実施例１と同様に、各電気泳動粒子の着色若しくは電荷を入れ替えること、泳動の向きを変えることなどにより異なった混色の状態を作成することができる。
【実施例３】
【００６６】
本実施例は、実施例２において、第１の色をシアン、第２の色をマゼンダ、第３の色をイエローとした例である。なお、分散媒７２の色は白色である。３種の電気泳動粒子の着色をこのようにすることにより、図８で示す時間間隔Ｔ２以内の任意の時間電界を印加することで、混色として様々な色を得ることが可能となる。
【００６７】
本実施例においても、泳動の向きを制御することで異なる混色の状態を発生させることができる。また、それぞれの色の電荷量を変更することでも異なる混色の状態を発生させることができる。どの程度の時間、＋ＥＶ若しくは−ＥＶの電界を印加するかの制御は、目的とする色に対応したルックアップテーブルを予め作成しておくことにより、容易に行うことができる。
【００６８】
（第２実施形態）
本実施形態は、第１実施形態おける電気光学装置を電子機器に適用する例である。
【００６９】
図９に、第１実施形態の電気光学装置を含む電子機器３００の構成例のブロック図を示す。電子機器３００は、ホスト３１０と、電気泳動表示装置１０と、記憶部３２０と、操作部３３０と、通信部６４０とを備えている。
【００７０】
ホスト３１０は、電気泳動表示装置１０を含め電子機器３００を構成する各部の動作を制御する。具体的には、ホスト３１０は、記憶部３２０等に予め記憶されるプログラムを実行することにより、電気泳動表示装置１０の動作を制御する。記憶部３２０は、ホスト３１０により実行されるプログラムやデータ、電気泳動表示装置１０に表示させる画像に対応した画像データを記憶するものである。このような記憶部３２０の機能は、読み出し専用メモリー（Read-Only Memory：ＲＯＭ）やランダムアクセスメモリー（Random Access Memory：ＲＡＭ）等により実現される。操作部３３０は、ユーザーが各種情報を入力するためのものであり、各種ボタンやキーボード等により実現される。通信部３４０は、外部との通信処理を行い、例えば電気泳動表示装置１０に表示させる画像に対応した画像データの受信を行う。
【００７１】
このような電子機器３００としては、例えば電子カード（クレジットカード、ポイントカード等）、電子ペーパー、電子ノート、電子辞書、リモコン、時計、携帯電話機、電子書籍端末等の携帯情報端末、電卓等の種々の機器を挙げることができる。
【００７２】
以上、本発明にかかる電気光学装置、及び電子機器等を上記のいずれかの実施形態に基づいて説明したが、本発明は上記のいずれかの実施形態に限定されるものではない。例えば、その要旨を逸脱しない範囲において種々の態様において実施することが可能であり、次のような変形も可能である。
【００７３】
本発明は、上記の実施形態において説明した電気泳動粒子が着色される色、帯電する極性、マイクロカプセル内の電気泳動粒子の種類の数等に限定されるものではない。また、本発明は、上記の実施形態において説明した電極、分散媒や電気泳動粒子の材質に限定されるものではない。
【００７４】
上記の実施形態では、画素電極及び対向電極間の電圧印加時間に応じて、電気泳動移動度が異なる電気泳動粒子を独立して制御する例を説明したが、印加電圧レベルに応じて、電気泳動移動度が異なる電気泳動粒子を独立して制御するようにしてもよい。
【００７５】
上記の実施形態において、本発明を電気光学装置、電子機器、及び電気光学装置の制御方法等として説明したが、本発明は、これに限定されるものではない。例えば、本発明は、電気泳動表示装置や、電気光学装置又は電気泳動表示装置の駆動方法であってもよい。
【符号の説明】
【００７６】
１０…電気泳動表示装置、１２…表示領域、２０…コントローラー、３０…走査線駆動回路、４０…データ線駆動回路、５０…共通電極駆動回路、５２…共通電極線、６０…スイッチングトランジスター、６０…Ｘ１及びスイッチングトランジスター、６２…画素電極、６４…対向電極、６６…電気泳動素子、６８…保持容量、７０…マイクロカプセル、７２…分散媒、７４…電気泳動粒子、７６…電気泳動粒子、１７０…マイクロカプセル、２７０…マイクロカプセル、３００…電子機器、３１０…ホスト、３２０…記憶部、３３０…操作部、３４０…通信部、６４０…通信部、７４１…第２の電気泳動粒子、７６１…第１の電気泳動粒子、７６２…第３の電気泳動粒子。
【図１】
2014182324.tif 000004
【図２】
2014182324.tif 000005
【図３】
2014182324.tif 000006
【図４】
2014182324.tif 000007
【図５】
2014182324.tif 000008
【図６】
2014182324.tif 000009
【図７】
2014182324.tif 000010
【図８】
2014182324.tif 000011
【図９】
2014182324.tif 000012